(57)【要約】【課題】ニップ部の定着温度の低下を防止し、良好な画質の画像を得ることが可能である。【解決手段】芯軸３１と、この芯軸３１の外周に設けられた断熱層３２と、この断熱層３２の外周に設けられた表面層３３とを有する断熱ローラ３０において、芯軸３１と断熱層３２との間に空気層３４を設けている。【選択図】図３
2004354670.tif 000002
【特許請求の範囲】
【請求項１】
芯軸と、この芯軸の外周に設けられた断熱層と、この断熱層の外周に設けられた表面層とを有する断熱ローラにおいて、
前記芯軸と前記断熱層との間に空気層を設けたことを特徴とする断熱ローラ。
【請求項２】
前記空気層は、
前記芯軸の外周面に設けた溝、凹部の少なくともいずれかで構成されることを特徴とする請求項１に記載の断熱ローラ。
【請求項３】
前記空気層は、
前記断熱層の内周面に設けた溝、凹部の少なくともいずれかで構成されることを特徴とする請求項１に記載の断熱ローラ。
【請求項４】
前記空気層は、
前記芯軸の外周面及び前記断熱層の内周面に設けた溝、凹部の少なくともいずれかで構成されることを特徴とする請求項１に記載の断熱ローラ。
【請求項５】
前記断熱層は、
全芳香族ポリアミドの重合体から短繊維と合成パルプを作り水中分散させて製造された断熱紙を、紙管加工して構成されることを特徴とする請求項１乃至請求項４のいずれか１項に記載の断熱ローラ。
【請求項６】
前記断熱層は、
パルプに耐熱性樹脂を含浸させて製造された断熱紙を、紙管加工して構成されることを特徴とする請求項１乃至請求項４のいずれか１項に記載の断熱ローラ。
【請求項７】
前記断熱紙は、
スパイラル状に積層されることにより断熱の範囲を自由に選択可能であり、
前記断熱の範囲は１層巻から、層の厚さにより１２５層までをスパイラル状に積層可能であることを特徴とする請求項５又は請求項６に記載の断熱ローラ。
【請求項８】
前記表面層は、シリコーンゴム、シリコーンスポンジ、シリコーン発泡体、ＰＦＡチューブ、樹脂コーティング、樹脂表面含浸のいずれかで構成されることを特徴とする請求項１乃至請求項７のいずれか１項に記載の断熱ローラ。
【請求項９】
加熱手段を有する加熱ローラと、前記加熱ローラと離間して配設される支持ローラと、前記加熱ローラと前記支持ローラとにエンドレスに掛け渡された定着ベルトと、前記定着ベルトに圧接してニップを形成する加圧ローラを有し、トナーで現像した可視像が転写された記録材料を前記ニップ部に導き、このニップ部を通過させることでトナー画像の定着を行なう定着装置において、
前記支持ローラ及び／又は加圧ローラは、請求項１乃至請求項８のいずれかに記載の断熱ローラであることを特徴とする定着装置。
【請求項１０】
加熱手段を有する加熱ローラと、前記加熱ローラに圧接してニップを形成する加圧ローラを有し、トナーで現像した可視像が転写された記録材料を前記ニップ部に導き、このニップ部を通過させることでトナー画像の定着を行なう定着装置において、
前記加圧ローラは、請求項１乃至請求項８のいずれかに記載の断熱ローラであることを特徴とする定着装置。
【発明の詳細な説明】
【０００１】
【発明の属する技術分野】
この発明は、電子写真複写機、プリンタ、ファクシミリ、これらの複数の機能を有する複合機や印刷機等の画像形成装置に備える断熱ローラ及び定着装置に関するものである。
【０００２】
【従来の技術】
このような定着装置には、加熱手段を有する加熱ローラと、加熱ローラと離間して配設される支持ローラと、加熱ローラと支持ローラとにエンドレスに掛け渡された定着ベルトと、定着ベルトに圧接してニップを形成する対向ローラを有し、静電像をトナーで現像した可視像が転写された記録材料をニップ部に導き、このニップ部を通過させることで記録材料のトナー画像の定着を行なうものがある（特許文献１）。
【０００３】
また、加熱手段を有する加熱ローラと、加熱ローラに圧接してニップを形成する加圧ローラを有し、静電像をトナーで現像した可視像が転写された記録材料をニップ部に導き、このニップ部を通過させることで記録材料のトナー画像の定着を行なうものがある（特許文献２）。
【０００４】
【特許文献１】
特開２００３−７６２０６号公報（１〜６頁  図１〜８）
【０００５】
【特許文献２】
特開２００３−１２２１７０号公報（１〜１０頁  図１〜８）
【０００６】
【発明が解決しようとする課題】
このような定着装置の場合、ニップ部の定着温度は、定着性能に影響することから加熱ローラの熱源が所定の温度に維持されるように制御されるが、支持ローラあるいは加圧ローラ側でローラ表面から内部に熱伝達が生じ、ローラ表面の温度が低下する。このために、ニップ部での温度を所定の温度に維持することが困難であり、定着が充分で無く画像不良が生じることがある。
【０００７】
この発明は、かかる実情に鑑みてなされたもので、ニップ部の定着温度の低下を防止し、良好な画質の画像を得ることが可能な断熱ローラ及び定着装置を提供することを目的としている。
【０００８】
【課題を解決するための手段】
前記課題を解決し、かつ目的を達成するために、この発明は、以下のように構成した。
【０００９】
請求項１に記載の発明は、芯軸と、この芯軸の外周に設けられた断熱層と、この断熱層の外周に設けられた表面層とを有する断熱ローラにおいて、
前記芯軸と前記断熱層との間に空気層を設けたことを特徴とする断熱ローラである。
【００１０】
この請求項１に記載の発明によれば、芯軸と断熱層との間に空気層を設けたことで、空気層によって断熱層から芯軸側への熱伝達が遮断され、断熱ローラのローラ表面の温度低下を防止でき、より高い断熱特性を簡単な構造で得ることができる。
【００１１】
請求項２に記載の発明は、前記空気層は、
前記芯軸の外周面に設けた溝、凹部の少なくともいずれかで構成されることを特徴とする請求項１に記載の断熱ローラである。
【００１２】
この請求項２に記載の発明によれば、空気層が芯軸の外周面に設けた溝、凹部の少なくともいずれかで構成され、溝は、軸方向、あるいはスパイラル状でもよく、また断面形状は、Ｖ字状あるいはＵ字状でもよく、特に限定されない。
【００１３】
請求項３に記載の発明は、前記空気層は、
前記断熱層の内周面に設けた溝、凹部の少なくともいずれかで構成されることを特徴とする請求項１に記載の断熱ローラである。
【００１４】
この請求項３に記載の発明によれば、空気層は断熱層の内周面に設けた溝、凹部の少なくともいずれかで構成され、溝は、軸方向、あるいはスパイラル状でもよく、また断面形状は、Ｖ字状あるいはＵ字状でもよく、特に限定されない。
【００１５】
請求項４に記載の発明は、前記空気層は、
前記芯軸の外周面及び前記断熱層の内周面に設けた溝、凹部の少なくともいずれかで構成されることを特徴とする請求項１に記載の断熱ローラである。
【００１６】
この請求項４に記載の発明によれば、空気層は芯軸の外周面及び断熱層の内周面に設けた溝、凹部の少なくともいずれかで構成され、溝は、軸方向、あるいはスパイラル状でもよく、また断面形状は、Ｖ字状あるいはＵ字状でもよく、特に限定されない。
【００１７】
請求項５に記載の発明は、前記断熱層は、
全芳香族ポリアミドの重合体から短繊維と合成パルプを作り水中分散させて製造された断熱紙を、紙管加工して構成されることを特徴とする請求項１乃至請求項４のいずれか１項に記載の断熱ローラである。
【００１８】
この請求項５に記載の発明によれば、断熱層が全芳香族ポリアミドの重合体から短繊維と合成パルプを作り水中分散させて製造された断熱紙を、紙管加工して構成され、多孔質であり断熱性に優れている。
【００１９】
請求項６に記載の発明は、前記断熱層は、
パルプに耐熱性樹脂を含浸させて製造された断熱紙を、紙管加工して構成されることを特徴とする請求項１乃至請求項４のいずれか１項に記載の断熱ローラである。
【００２０】
この請求項６に記載の発明によれば、断熱層がパルプに耐熱性樹脂を含浸させて製造された断熱紙を、紙管加工して構成され、多孔質であり断熱性に優れている。
【００２１】
請求項７に記載の発明は、前記断熱紙は、
スパイラル状に積層されることにより断熱の範囲を自由に選択可能であり、
前記断熱の範囲は１層巻から、層の厚さにより１２５層までをスパイラル状に積層可能であることを特徴とする請求項５又は請求項６に記載の断熱ローラである。
【００２２】
この請求項７に記載の発明によれば、断熱紙をスパイラル状に積層することで断熱の範囲を自由に選択することができ、さらに、断熱の範囲は１層巻から、層の厚さにより１２５層までをスパイラル状に積層し、これにより表面の円筒度の平行平面性を得ることができる。
【００２３】
請求項８に記載の発明は、前記表面層は、シリコーンゴム、シリコーンスポンジ、シリコーン発泡体、ＰＦＡチューブ、樹脂コーティング、樹脂表面含浸のいずれかで構成されることを特徴とする請求項１乃至請求項７のいずれか１項に記載の断熱ローラである。
【００２４】
この請求項８に記載の発明によれば、表面層は、シリコーンゴム、シリコーンスポンジ、シリコーン発泡体、ＰＦＡチューブ、樹脂コーティング、樹脂表面含浸のいずれかで構成され、これらの選択によって表面の硬度を設定することができる。
【００２５】
請求項９に記載の発明は、加熱手段を有する加熱ローラと、前記加熱ローラと離間して配設される支持ローラと、前記加熱ローラと前記支持ローラとにエンドレスに掛け渡された定着ベルトと、前記定着ベルトに圧接してニップを形成する加圧ローラを有し、トナーで現像した可視像が転写された記録材料を前記ニップ部に導き、このニップ部を通過させることでトナー画像の定着を行なう定着装置において、
前記支持ローラ及び／又は加圧ローラは、請求項１乃至請求項８のいずれかに記載の断熱ローラであることを特徴とする定着装置である。
【００２６】
この請求項９に記載の発明によれば、支持ローラ及び／又は加圧ローラは、請求項１乃至請求項７のいずれかに記載の断熱ローラであり、断熱ローラのローラ表面の温度低下を防止でき、ニップ部を所定の定着温度に維持して良好な画質の画像を得ることが可能で、かつ電力消費が可能である。また、短時間にニップ部を定着温度にすることが可能で、装置のウォームアップ時間を短縮することができる。
【００２７】
請求項１０に記載の発明は、加熱手段を有する加熱ローラと、前記加熱ローラに圧接してニップを形成する加圧ローラを有し、トナーで現像した可視像が転写された記録材料を前記ニップ部に導き、このニップ部を通過させることでトナー画像の定着を行なう定着装置において、
前記加圧ローラは、請求項１乃至請求項８のいずれかに記載の断熱ローラであることを特徴とする定着装置である。
【００２８】
この請求項１０に記載の発明によれば、加圧ローラは、請求項１乃至請求項７のいずれかに記載の断熱ローラであり、断熱ローラのローラ表面の温度低下を防止でき、ニップ部を所定の定着温度に維持して良好な画質の画像を得ることが可能で、かつ電力消費が可能である。また、短時間にニップ部を定着温度にすることが可能で、装置のウォームアップ時間を短縮することができる。
【００２９】
【発明の実施の形態】
以下、この発明の断熱ローラ及び定着装置の実施の形態を説明する。なお、本欄の記載は請求項の技術的範囲や用語の意義を限定するものではない。また、以下の、この発明の実施の形態における断定的な説明は、ベストモードを示すものであって、この発明の用語の意義や技術的範囲を限定するものではない。
【００３０】
図１は定着装置の一例を示す概要断面構成図である。
【００３１】
この発明の定着装置１は、加熱手段２を有する加熱ローラ３と、加熱ローラ３と離間して配設される支持ローラ４と、加熱ローラ３と支持ローラ４とにエンドレスに掛け渡された定着ベルト５と、定着ベルト５に圧接してニップを形成する加圧ローラ６を有する。
【００３２】
この加圧ローラ６の近傍には、定着ベルト５を加圧ローラ６に圧接させるためのフリクションを与える支持ローラ７が設けられ、加熱ローラ３の加熱手段２は、ヒータで構成されている。また、加圧ローラ６には、補助の加熱手段２０が設けられている。
【００３３】
定着ベルト５の表面には、供給ローラ６０、塗布ローラ６１からオイルが供給され、さらにクリーニングローラ６２が設けられている。加圧ローラ６には、クリーニングローラ６３が設けられている。
【００３４】
この定着装置１の前段に配置される画像形成部では、静電像をトナーで現像した可視像が記録材料Ｐに転写され、この記録材料Ｐがガイド１０によってニップ部１１に導かれる。この記録材料Ｐがニップ部１１を通過することで、記録材料Ｐのトナー画像の定着を行ない、トナー画像の定着後記録材料Ｐが加圧ローラ６から分離爪１２によって分離されて排出される。このニップ部１１では、記録材料Ｐが定着ベルト５によって予熱が与えられ、また定着ベルト５を熱伝導率のよい材料で形成することで、トナー画像の定着性能が向上する。
【００３５】
この実施の形態では、支持ローラ４が図２乃至図６に示す断熱ローラ３０で構成される。図２は断熱ローラの断面図、図３は図２のＩＩＩ−ＩＩＩ線に沿う断面図、図４は芯軸の側面図、図５は溝の断面図、図６は凹部の断面図である。
【００３６】
この実施の形態の断熱ローラ３０は、芯軸３１と、この芯軸３１の外周に設けられた断熱層３２と、この断熱層３２の外周に設けられた表面層３３とを有する。この芯軸３１は、例えばアルミニウム等で形成され、両側に支持部３１ａが形成されている。この芯軸３と断熱層３２との間に空気層３４が設けられている。
【００３７】
この芯軸３１と断熱層３２との間に空気層３４を設けたことで、この空気層３４によって断熱層３２から芯軸３１側への熱伝達が遮断され、断熱ローラ３０のローラ表面の温度低下を防止でき、より高い断熱特性を簡単な構造で得ることができる。
【００３８】
この空気層３４は、図４乃至図６に示すように、芯軸３１の外周面に設けた溝５０、凹部５１の少なくともいずれかで構成される。この溝５０は、図４（ａ）に示すように、軸方向に形成され、あるいは図４（ｂ）に示すように、スパイラル状に形成される。また、この凹部５１は、図４（ｃ）に示すように、軸方向に形成され、あるいは図４（ｄ）に示すように、千鳥状に形成される。さらに、図４（ｅ）に示すように、溝５０と凹部５１とを芯軸３１の外周面に設けてもよい。
【００３９】
さらに、溝５０の断面形状は、図５に示すように、Ｖ字状あるいはＵ字状でもよく、凹部５１の断面形状は、図６に示すように、Ｖ字状あるいはＵ字状でもよい。このように、空気層３４は芯軸３１の外周面に設けた溝５０、凹部５１の少なくともいずれかで構成され、溝は、軸方向、あるいはスパイラル状でもよく、また断面形状は、Ｖ字状あるいはＵ字状でもよく、特に限定されない。
【００４０】
また、空気層３４は、図７に示すように、断熱層３２の内周面に設けた溝７０、凹部７１の少なくともいずれかで構成してもよい。この溝７０及び凹部７１は、芯軸３１の溝５０及び凹部５１と同様に構成されるから説明を省略する。
【００４１】
さらに、空気層３４は、芯軸３１の外周面及び断熱層３２の内周面に設けた溝、凹部の少なくともいずれかで構成してもよい。
【００４２】
この実施の形態の断熱層３２は、全芳香族ポリアミドの重合体から短繊維と合成パルプを作り水中分散させて抄紙機によって製造された断熱紙を、紙管加工して構成される。この断熱層３２は多孔質であり断熱性に優れている。
【００４３】
また、断熱層３２は、パルプに、ポリイミド樹脂、ビスマレイミド樹脂、フェノール樹脂、耐熱エポキシ樹脂等の耐熱性樹脂を含浸させて製造された断熱紙を、紙管加工して構成され、多孔質であり断熱性に優れている。
【００４４】
このようにして、製造された断熱紙は、スパイラル状に積層されることにより断熱の範囲を自由に選択可能である。例えば断熱の範囲は１層巻から、層の厚さにより１２５層までをスパイラル状に積層可能であり、これによりアラミド断熱紙の厚さを、例えば０．０４ｍｍ〜５．０ｍｍにして表面の円筒度の平行平面性を得ることができる。
【００４５】
この実施の形態の断熱層３２は、断熱紙として、例えばデュポン帝人アドバンスドペーパー株式会社製のタイプ４１１を用いることができる。
【００４６】
この実施の形態の表面層３３は、シリコーンゴム、シリコーンスポンジ、シリコーン発泡体、ＰＦＡチューブ、樹脂コーティング、樹脂表面含浸のいずれかで構成される。これらの選択によって、表面の硬度を設定することができる。
【００４７】
この実施の形態の表面層３３として、例えばアキレス株式会社製の電子共役系を有する導電性ポリマーを汎用プラスチック基材（フィルム、シート、繊維）などの表面に均一に被覆、複合することにより導電化した導電性素材を用いることができる。
【００４８】
また、この実施の形態では、加圧ローラ６に補助の加熱手段２０が設けられているが、この加圧ローラ６を図２乃至図７に示す断熱ローラ３０で構成することができ、この場合は、補助の加熱手段２０が不要になって、ローラのコスト削減と消費電力を削減することが可能である。
【００４９】
また、フリクションを与える支持ローラ７を断熱ローラ３０で構成することもできる。
【００５０】
この実施の形態の定着装置１では、支持ローラ４、支持ローラ７及び／又は加圧ローラ６を断熱ローラ３０とすることで、断熱ローラ３０のローラ表面の温度低下を防止でき、ニップ部１１を所定の定着温度に維持して良好な画質の画像を得ることが可能で、かつ電力消費が可能である。
【００５１】
また、断熱ローラ３０のローラ表面の温度低下を防止できるから、短時間にニップ部１１を定着温度にすることが可能で、装置のウォームアップ時間を短縮することができる。
【００５２】
図８は定着装置の他の一例を示す概要断面構成図である。この実施の形態の定着装置１は、加熱手段１００を有する加熱ローラ１０１と、加熱ローラ１０１に圧接してニップを形成する加圧ローラ１０２を有し、トナーで現像した可視像が転写された記録材料Ｐをニップ部１０３に導き、このニップ部１０３を通過させることでトナー画像の定着を行なう。
【００５３】
この実施の形態では、加圧ローラ１０２が図２乃至図７に示す断熱ローラ３０で構成され、ニップ部１０３の定着温度の低下を防止し、良好な画質の画像を得ることが可能で、かつ電力消費が可能である。
【００５４】
また、断熱ローラ３０のローラ表面の温度低下を防止できるから、短時間にニップ部１０３を定着温度にすることが可能で、装置のウォームアップ時間を短縮することができる。
【００５５】
【発明の効果】
前記したように、請求項１に記載の発明では、芯軸と断熱層との間に空気層を設けたことで、空気層によって断熱層から芯軸側への熱伝達が遮断され、断熱ローラのローラ表面の温度低下を防止でき、より高い断熱特性を簡単な構造で得ることができる。
【００５６】
請求項２に記載の発明では、空気層が芯軸の外周面に設けた溝、凹部の少なくともいずれかで構成され、溝は、軸方向、あるいはスパイラル状でもよく、また断面形状は、Ｖ字状あるいはＵ字状でもよく、特に限定されない。
【００５７】
請求項３に記載の発明では、空気層は断熱層の内周面に設けた溝、凹部の少なくともいずれかで構成され、溝は、軸方向、あるいはスパイラル状でもよく、また断面形状は、Ｖ字状あるいはＵ字状でもよく、特に限定されない。
【００５８】
請求項４に記載の発明では、空気層は芯軸の外周面及び断熱層の内周面に設けた溝、凹部の少なくともいずれかで構成され、溝は、軸方向、あるいはスパイラル状でもよく、また断面形状は、Ｖ字状あるいはＵ字状でもよく、特に限定されない。
【００５９】
請求項５に記載の発明では、断熱層が全芳香族ポリアミドの重合体から短繊維と合成パルプを作り水中分散させて製造された断熱紙を、紙管加工して構成され、多孔質であり断熱性に優れている。
【００６０】
請求項６に記載の発明では、断熱層がパルプに耐熱性樹脂を含浸させて製造された断熱紙を、紙管加工して構成され、多孔質であり断熱性に優れている。
【００６１】
請求項７に記載の発明では、断熱紙をスパイラル状に積層することで断熱の範囲を自由に選択することができ、さらに、断熱の範囲は１層巻から、層の厚さにより１２５層までをスパイラル状に積層し、これにより表面の円筒度の平行平面性を得ることができる。
【００６２】
請求項８に記載の発明では、表面層は、シリコーンゴム、シリコーンスポンジ、シリコーン発泡体、ＰＦＡチューブ、樹脂コーティング、樹脂表面含浸のいずれかで構成され、これらの選択によって表面の硬度を設定することができる。
【００６３】
請求項９に記載の発明では、支持ローラ及び／又は加圧ローラは、請求項１乃至請求項７のいずれかに記載の断熱ローラであり、断熱ローラのローラ表面の温度低下を防止でき、ニップ部を所定の定着温度に維持して良好な画質の画像を得ることが可能で、かつ電力消費が可能である。また、短時間にニップ部を定着温度にすることが可能で、装置のウォームアップ時間を短縮することができる。
【００６４】
請求項１０に記載の発明では、加圧ローラは、請求項１乃至請求項７のいずれかに記載の断熱ローラであり、断熱ローラのローラ表面の温度低下を防止でき、ニップ部を所定の定着温度に維持して良好な画質の画像を得ることが可能で、かつ電力消費が可能である。また、短時間にニップ部を定着温度にすることが可能で、装置のウォームアップ時間を短縮することができる。
【図面の簡単な説明】
【図１】定着装置の一例を示す概要断面構成図である。
【図２】断熱ローラの断面図である。
【図３】図２のＩＩＩ−ＩＩＩ線に沿う断面図である。
【図４】芯軸の側面図である。
【図５】溝の断面図である。
【図６】凹部の断面図である。
【図７】空気層を断熱層の内周面に設けた実施の形態を示す断面図である。
【図８】定着装置の他の一例を示す概要断面構成図である。
【符号の説明】
３０  断熱ローラ
３１  芯軸
３２  断熱層
３３  表面層
３４  空気層
【図１】
2004354670.tif 000003
【図２】
2004354670.tif 000004
【図３】
2004354670.tif 000005
【図４】
2004354670.tif 000006
【図５】
2004354670.tif 000007
【図６】
2004354670.tif 000008
【図７】
2004354670.tif 000009
【図８】
2004354670.tif 000010
【手続補正書】
【提出日】平成15年5月29日(2003.5.29)
【手続補正１】
【補正対象書類名】明細書
【補正対象項目名】００２６
【補正方法】変更
【補正の内容】
【００２６】
この請求項９に記載の発明によれば、支持ローラ及び／又は加圧ローラは、請求項１乃至請求項７のいずれかに記載の断熱ローラであり、断熱ローラのローラ表面の温度低下を防止でき、ニップ部を所定の定着温度に維持して良好な画質の画像を得ることが可能で、かつ省電力化が可能である。また、短時間にニップ部を定着温度にすることが可能で、装置のウォームアップ時間を短縮することができる。


【手続補正２】
【補正対象書類名】明細書
【補正対象項目名】００２８
【補正方法】変更
【補正の内容】
【００２８】
この請求項１０に記載の発明によれば、加圧ローラは、請求項１乃至請求項７のいずれかに記載の断熱ローラであり、断熱ローラのローラ表面の温度低下を防止でき、ニップ部を所定の定着温度に維持して良好な画質の画像を得ることが可能で、かつ省電力化が可能である。また、短時間にニップ部を定着温度にすることが可能で、装置のウォームアップ時間を短縮することができる。


【手続補正３】
【補正対象書類名】明細書
【補正対象項目名】００５０
【補正方法】変更
【補正の内容】
【００５０】
この実施の形態の定着装置１では、支持ローラ４、支持ローラ７及び／又は加圧ローラ６を断熱ローラ３０とすることで、断熱ローラ３０のローラ表面の温度低下を防止でき、ニップ部１１を所定の定着温度に維持して良好な画質の画像を得ることが可能で、かつ省電力化が可能である。


【手続補正４】
【補正対象書類名】明細書
【補正対象項目名】００５３
【補正方法】変更
【補正の内容】
【００５３】
この実施の形態では、加圧ローラ１０２が図２乃至図７に示す断熱ローラ３０で構成され、ニップ部１０３の定着温度の低下を防止し、良好な画質の画像を得ることが可能で、かつ省電力化が可能である。


【手続補正５】
【補正対象書類名】明細書
【補正対象項目名】００６３
【補正方法】変更
【補正の内容】
【００６３】
請求項９に記載の発明では、支持ローラ及び／又は加圧ローラは、請求項１乃至請求項７のいずれかに記載の断熱ローラであり、断熱ローラのローラ表面の温度低下を防止でき、ニップ部を所定の定着温度に維持して良好な画質の画像を得ることが可能で、かつ省電力化が可能である。また、短時間にニップ部を定着温度にすることが可能で、装置のウォームアップ時間を短縮することができる。


【手続補正６】
【補正対象書類名】明細書
【補正対象項目名】００６４
【補正方法】変更
【補正の内容】
【００６４】
請求項１０に記載の発明では、加圧ローラは、請求項１乃至請求項７のいずれかに記載の断熱ローラであり、断熱ローラのローラ表面の温度低下を防止でき、ニップ部を所定の定着温度に維持して良好な画質の画像を得ることが可能で、かつ省電力化が可能である。また、短時間にニップ部を定着温度にすることが可能で、装置のウォームアップ時間を短縮することができる。